(57)【要約】【課題】データベースの情報を誤操作による削除を防止することができる情報処理装置の提供。【解決手段】管理センタとネットワークを介して接続されるパソコンと、管理センタ１のデータベース２に格納されるファイルを、パソコン７の削除操作で表示される削除メッセージ画面Ｇ１に設けられるＯＫ釦Ｇ１ａのクリックで表示され、削除操作を確認する確認画面Ｇ２に設けられるＯＫ釦Ｇ２ｂのクリックで、データベース２の当該ファイルを削除するようにした情報処理装置において、確認画面Ｇ２に設けた確認入力欄Ｇ２ａの入力を検出する削除確認検出手段３Ｃと、この削除確認検出手段３Ｃが確認入力欄Ｇ２ａの入力を検出すると、確認画面Ｇ２のＯＫ釦Ｇ２ｂのクリックを有効とする信号をパソコン７へ送信する削除画面有効処理手段３Ｄと、有効となったＯＫ釦Ｇ２ｂのクリックを検出すると、当該ファイルを削除する削除指令手段３Ｅと、を備えた。【選択図】図１
2015018346.tif 000002
【特許請求の範囲】
【請求項１】
管理センタに設けられるデータベースと、前記管理センタとネットワークを介して接続されるパソコンと、前記データベースに格納されるファイルを前記パソコンの削除操作で表示される削除メッセージ画面と、この削除メッセージ画面に設けられるＯＫ釦のクリックで表示され、当該削除操作を確認する確認画面と、この確認画面に設けられるＯＫ釦のクリックで、前記データベースの当該ファイルを削除するようにした情報処理装置において、
前記確認画面に設けた確認入力欄の入力を検出する削除確認検出手段と、
この削除確認検出手段が前記確認入力欄の入力を検出すると、前記確認画面の前記ＯＫ釦のクリックを有効とする信号を前記パソコンへ送信する削除画面有効処理手段と、
有効となった前記ＯＫ釦のクリックを検出すると、当該ファイルを削除する削除指令手段と、
を備えたことを特徴とする情報処理装置。
【請求項２】
請求項１記載の情報処理装置において、
前記確認入力欄は、チェックボックスと、所定のパスワードが入力可能なテキストボックスと、のいずれかとしたことを特徴とする情報処理装置。
【発明の詳細な説明】
【技術分野】
【０００１】
本発明は、情報処理装置に係り、特にデータベースの管理に好適な情報処理装置に関する。
【背景技術】
【０００２】
従来、データベース内に格納されている情報を、Ｗｅｂやローカルエリアネットワークを介して遠隔的に接続されるパソコンの画面に表示させ、種々の操作を行わせて、データベース内の情報を管理している。
【０００３】
また、データベース内の個人情報等のデータ消去や更新といった重要な操作も簡単に行うことを可能としているため、誤操作を意図せずに行って、データを削除することの要因になっている。
【０００４】
このような誤操作を防止するために、パソコンからデータベース内の特定のデータの削除を行う際に、削除確認のメッセージ画面を２回表示させ、１回目メッセージ画面の削除入力釦とキャンセル釦を所定位置に表示し、１回目メッセージ画面の削除入力釦をクリックした後、再度データの削除確認をする２回目メッセージ画面を、１回目メッセージ画面の表示位置とは異なる位置へ表示させることで、２回目メッセージ画面の削除入力釦の位置が１回目メッセージ画面の削除入力釦と異なる位置となり、パソコンの操作者が削除入力釦に対して、連続クリックする等の不注意によるデータ削除を防止する技術が開示されている（特許文献１）。
【先行技術文献】
【特許文献】
【０００５】
【特許文献１】特開２０１１−１９１９２７号公報
【発明の概要】
【発明が解決しようとする課題】
【０００６】
しかし、上記特許文献１に関し、データベース内の特定のデータを削除に係るメッセージ画面は、１回目メッセージと２回目メッセージで表示位置は変えるようにするが、パソコン操作者は削除入力釦或はキャンセル釦を選択してクリックするにせよ、クリックするという操作に変わりはなく、キャンセル釦をクリックすべきところを、クリック操作の連続により誤って削除入力釦をクリックし、データベースから情報を削除してしまう虞があった。
【０００７】
本発明の目的は、データベースの情報を誤操作による削除を防止することができる情報処理装置を提供することにある。
【課題を解決するための手段】
【０００８】
上記目的を達成するために、本発明は、管理センタに設けられるデータベースと、前記管理センタとネットワークを介して接続されるパソコンと、前記データベースに格納されるファイルを前記パソコンの削除操作で表示される削除メッセージ画面と、この削除メッセージ画面に設けられるＯＫ釦のクリックで表示され、当該削除操作を確認する確認画面と、この確認画面に設けられるＯＫ釦のクリックで、前記データベースの当該ファイルを削除するようにした情報処理装置において、前記確認画面に設けられ、チェックボックスと、所定のパスワードが入力可能なテキストボックスと、のいずれかの確認入力欄の入力を検出する削除確認検出手段と、この削除確認検出手段が前記確認入力欄の入力を検出すると、前記確認画面の前記ＯＫ釦のクリックを有効とする信号を前記パソコンへ送信する削除画面有効処理手段と、有効となった前記ＯＫ釦のクリックを検出すると、当該ファイルを削除する削除指令手段と、を備えたことを特徴とする。
【発明の効果】
【０００９】
本発明によれば、パソコン７を操作する図示しない操作者は、データベースに格納されるファイルに対する削除操作を行うと、削除メッセージ画面のＯＫ釦のクリックで表示される確認画面の確認入力欄の入力がなければ、確認画面のＯＫ釦のクリックが有効とならないので、削除メッセージ画面のＯＫ釦と確認画面のＯＫ釦の連続クリックの誤操作によるデータベースに格納されるファイルの削除を防止できる。
【図面の簡単な説明】
【００１０】
【図１】本発明の一実施形態における概略構成を示すブロック図である。
【図２】本発明の一実施形態の動作を説明するフローチャートである。
【発明を実施するための形態】
【００１１】
以下、本発明の情報処理装置の一実施形態を図１、図２を用いて説明する。
【００１２】
図において、管理センタ１に各種情報が格納されるデータベース２が設置され、このデータベース２に格納される情報を管理するための制御装置３が接続され、制御装置３に接続される通信インターフェイス４（以下、通信Ｉ／Ｆ４）、この通信Ｉ／Ｆ４に接続されるローカルエリアネットワーク５（以下、ＬＡＮ５）と、このＬＡＮ５に接続されるＨＵＢ６と、このＨＢＵ６にパソコン７が接続されている。
【００１３】
また、制御装置３は削除処理検出手段３Ａと削除確認指令手段３Ｂと削除確認検出手段３Ｃと削除画面有効処理手段３Ｄと削除指令手段３Ｅを有している。
【００１４】
削除処理検出手段３Ａは、パソコン７の操作におけるパソコン７の図示しない記憶部の図示しないファイルの削除や、データベース２に格納される図示しないファイルの削除の操作を行うと、パソコン７の表示部７Ａに削除メッセージ画面である第１メッセージ画面が表示され、この第１メッセージ画面Ｇ１のＯＫ釦Ｇ１ａのクリックを検出するものである。
【００１５】
削除確認指令手段３Ｂは、第１メッセージ画面Ｇ１のＯＫ釦Ｇ１ａのクリックを検出した削除処理検出手段３Ａの指令により、確認画面である第２メッセージ画面Ｇ２をパソコン７の表示部７Ａに表示させる情報を送信するものである。
【００１６】
削除確認検出手段３Ｃは、第２メッセージ画面Ｇ２の中央部に表示される確認入力欄であるチェックボックスＧ２ａ及びキャンセル釦Ｇ２ｃのクリックを検出するものである。
【００１７】
削除画面有効処理手段３Ｄは、第２メッセージ画面Ｇ２のチェックボックスＧ２ａのクリックを検出した削除確認検出手段３Ｃの指令により、第２メッセージＧ２下部に表示されるＯＫ釦Ｇ２ｂのクリックの信号受付を有効にするとともに、クリックに伴うチェックマークを表示させるようにするものである。
【００１８】
削除指令手段３Ｅは、パソコン７で指定されたデータベースの格納ファイルを削除するとともに、第３メッセージ画面Ｇ３をパソコン７の表示部７Ａに表示させる情報を送信するものである。
【００１９】
次に、本実施形態の動作の説明を行う。
【００２０】
パソコン７から管理センタ１のデータベース２に格納されている図示しないファイルを削除する場合、図示しない操作者は、パソコン７の表示部７Ａを介してデータベース２の図示しないファイルを選択した後、所定の削除操作を行うと（ステップＳ１）、パソコン７の表示部７Ａに第１メッセージ画面Ｇ１が表示される（ステップＳ２）。
【００２１】
第１メッセージ画面Ｇ１は、上段に配置され、例えば「データを削除してよろしいですか？」という文字列と、下段に配置され、ＯＫ釦Ｇ１ａとキャンセル釦Ｇ１ｂとで構成されている。ここで、ＯＫ釦Ｇ１ａとキャンセル釦Ｇ１ｂは、クリックによる信号受付と信号出力を可能とする活性状態で表示される。
【００２２】
次に、図示しない操作者は、表示部７Ａに表示された第１メッセージ画面Ｇ１のＯＫ釦Ｇ１ａ或はキャンセル釦Ｇ１ｂをクリックすると、ＯＫ釦Ｇ１ａ或はキャンセル釦Ｇ１ｂの出力信号は、ＨＵＢ６、ＬＡＮ５、通信Ｉ／Ｆ４を介して制御装置３へ送信され、制御装置３の削除処理検出手段３Ａは、ＯＫ釦Ｇ１ａ或はキャンセル釦Ｇ１ｂの出力信号の検出し（ステップＳ３）、キャンセル釦Ｇ１ｂの出力信号を検出すると終了信号をパソコン７へ送信し、ＯＫ釦Ｇ１ａがクリックされたと判断すると、削除確認指令手段３Ｂへ信号を出力する。
【００２３】
削除処理検出手段３Ａから信号を入力した削除確認指令手段３Ｂは、第２メッセージ画面Ｇ２をパソコン７の表示部７Ａに表示させる情報を、通信Ｉ／Ｆ４を介してパソコン７へ送信する（ステップＳ４）。
【００２４】
削除確認指令手段３Ｂから第２メッセージ画面Ｇ２の情報を受信したパソコン７は、表示部７Ａに第２メッセージ画面Ｇ２を表示させる。
【００２５】
第２メッセージ画面Ｇ２は、上段に配置され、例えば「本当にデータを削除しますがよろしいですか？よろしい場合は下記のチェックボックスをクリックした後、ＯＫをクリックしてください。」という文字列と、中段に配置され、
チェックボックスＧ２ａと、このチェックボックスＧ２ａのチェック内容を示し、例えば「削除対象のデータ」という文字列と、下段に配置され、ＯＫ釦Ｇ２ｂとキャンセル釦Ｇ２ｃとで構成されている。ここで、チェックボックスＧ２ａとキャンセル釦Ｇ２ｃは、クリックによる信号受付と信号出力を可能とする活性状態で表示され、ＯＫ釦Ｇ２ｂは、クリックによる信号を受付けない不活性状態で表示される。
【００２６】
次に、制御装置３の削除確認検出手段３Ｃは、パソコン７のチェックボックスＧ２ａ及びキャンセル釦Ｇ２ｃのクリックによる信号送信の有無を検出し（ステップＳ５）、チェックボックスＧ２ａ及びキャンセル釦Ｇ２ｃのクリックによる信号が送信されないとき、ステップＳ４にて第２メッセージ画面Ｇ２を表示部７Ａに表示させる情報を送信してから、所定時間である例えば３０秒未満か否かを計測し（ステップＳ５）、３０秒となれば終了信号をパソコン７へ送信する。
【００２７】
また、削除確認検出手段３Ｃは、ステップＳ５にてパソコン７のチェックボックスＧ２ａ及びキャンセル釦Ｇ２ｃのクリックによる信号送信を検出すると、送信された信号が、チェックボックスＧ２ａのクリックかキャンセル釦Ｇ２ｃのクリックによるものかを判断し（ステップＳ７）、キャンセル釦Ｇ２ｃのクリックによるときは終了信号をパソコン７へ送信する。
【００２８】
また、削除確認検出手段３Ｃは、ステップＳ７における信号の判断で、チェックボックスＧ２ａのクリックによる信号と判断すると、削除画面有効処理手段３Ｄへ信号を出力する。
【００２９】
次に、削除確認検出手段３Ｃから信号を入力した削除画面有効処理手段３Ｄは、第２メッセージ画面Ｇ２のキャンセル釦Ｇ２ｃに対し、クリックによる信号受付と信号出力を可能とする活性状態とする指令信号を、パソコン７へ送信する（ステップＳ８）。
【００３０】
次に、削除指令手段３Ｅは、パソコン７から送信される信号が、ＯＫ釦Ｇ２ｂのクリックかキャンセル釦Ｇ２ｃのクリックによるものかを判断し（ステップＳ９）、キャンセル釦Ｇ２ｃのクリックによるときは終了信号をパソコン７へ送信し、ＯＫ釦Ｇ２ｂのクリックと判断すると、ステップ１にてパソコン７にて選択されたデータベース２の図示しないファイルの削除処理を行い（ステップＳ１０）、ファイルの削除が完了すると、パソコン７の表示部７Ａに第３メッセージ画面Ｇ３を表示させる情報をパソコン７へ送信する（ステップＳ１１）。ここで、第３メッセージ画面Ｇ３は、上段に配置され、例えば「削除が完了しました」という文字列と、下段に配置され、クリックによる信号受付と信号出力を可能とする活性状態で表示されるＯＫ釦Ｇ３ａとで構成されている。
【００３１】
次に、パソコン７の図示しない操作者は、表示部７Ａに表示される第３メッセージ画面Ｇ３のＯＫ釦Ｇ３ａをクリックすると、第３メッセージ画面Ｇ３が消え、データベース２に格納されている図示しないファイルを削除作業が完了する。
【００３２】
本実施形態によれば、データベース２の図示しないファイルに対し、パソコン７から第１メッセージ画面Ｇ１を用い、ＯＫ釦Ｇ１ａのクリックにて削除操作が成されると、管理センタ１の制御装置３の削除処理検出手段３ＡがＯＫ釦Ｇ１ａのクリックに伴う信号を検出すると、制御部３の削除確認指令手段３Ｂはパソコン７に対し、チェックボックスＧ２ａとキャンセル釦Ｇ２ｃをクリックによる信号を受付ける活性状態にするとともに、ＯＫ釦Ｇ２ｂをクリックによる信号を受付けない不活性状態とした第２メッセージ画面Ｇ２の情報を、表示部７Ａへ送信し、制御装置３の削除確認検出手段３Ｃは、チェックボックスＧ２ａのクリックによる信号を検出すると、制御装置３の削除画面有効処理手段３Ｄは、第２メッセージＧ２のＯＫ釦Ｇ２ｂのクリックの信号受付を有効にする活性化指令信号をパソコン７へ送信し、ＯＫ釦Ｇ２ｂのクリックの信号を検出した削除指令手段３Ｅは、データベース２の図示しないファイルを削除するようにしたので、データベース２に格納されているファイルを誤って削除されることが防止できる。
【００３３】
また、本実施形態によれば、パソコン７を操作する図示しない操作者は、第２メッセージ画面Ｇ２のチェックボックスＧ２ａをクリックしなければ、ＯＫ釦Ｇ２ｂのクリックが有効とならないので、第１メッセージ画面Ｇ１のＯＫ釦Ｇ１ａと第２メッセージ画面Ｇ２のＯＫ釦Ｇ２ｂの連続クリックによる誤操作を防止できる。
【００３４】
また、本実施形態は、第２メッセージ画面Ｇ２のＯＫ釦Ｇ２ｂのクリックを有効にするために、チェックボックスＧ２ａをクリックする説明を行ったが、チェックボックスＧ２ａの代わりにパスワードを入力する図示しないテキストボックスを設けても、同様の効果が得られるとともに、操作者の特定が可能となるので、データベース２のファイル管理のセキュリティ強化が図れる。
【符号の説明】
【００３５】
１        管理センタ
２        データベース
３        制御装置
３Ａ      削除処理検出手段
３Ｂ      削除確認指令手段
３Ｃ      削除確認検出手段
３Ｄ      削除画面有効処理手段
３Ｅ      削除指令手段
４        通信インターフェイス
５        ローカルエリアネットワーク
６        ＨＵＢ
７        パソコン
７Ａ      表示部
Ｇ１      第１メッセージ画面
Ｇ２      第２メッセージ画面
Ｇ３      第３メッセージ画面
Ｇ２ａ    チェックボックス
Ｇ１ａ，Ｇ２ｂ    ＯＫ釦
Ｇ１ｂ，Ｇ２ｃ    キャンセル釦
【図１】
2015018346.tif 000003
【図２】
2015018346.tif 000004